(57)【要約】【課題】高精度に画像データの誤送信を防止することが可能なデータ通信装置、データ通信方法、データ通信プログラムを提供することを目的としている。【解決手段】データ通信装置は、送信先情報が含まれる複数枚の原稿をＦＡＸ送信する際に、基準となる基準原稿に含まれる基準送信先情報と、基準原稿以外の原稿の画像データに含まれる送信先情報とを比較する。そして基準原稿以外の原稿に含まれる送信先情報が全て基準送信先情報と一致した場合に、画像データを送信する。【選択図】図６
2009049483.tif 000002
【特許請求の範囲】
【請求項１】
送信先情報を含む複数枚の原稿をスキャンして画像データとするスキャン手段と、
前記画像データから前記送信先情報を抽出する送信先抽出手段と、
前記送信先抽出手段により、前記複数枚の原稿のうち基準となる基準原稿の画像データから抽出された基準送信先情報と、前記基準原稿以外の原稿の画像データから抽出された送信先情報とが一致するか否かを判定する送信先判定手段と、
前記送信先判定手段による判定結果に基づき前記画像データの送信を制御する送信制御手段とを有するデータ通信装置。
【請求項２】
前記スキャン手段を制御するスキャン制御手段を有し、
前記スキャン制御手段は、
前記送信先判定手段により、前記基準原稿の画像データから抽出された基準送信先情報と、前記基準原稿以外の原稿の画像データから抽出された送信先情報とが一致しないと判定されたとき、前記スキャン手段によるスキャンを停止させる請求項１記載のデータ通信装置。
【請求項３】
送信先情報が格納された送信先情報格納手段と、
前記送信先情報格納手段を前記基準送信先情報により検索する送信先検索手段を有する請求項１又は２に記載のデータ通信装置。
【請求項４】
前記画像データにおいて前記送信先情報が抽出される領域を設定する領域設定手段を有する請求項１乃至３の何れか一項に記載のデータ通信装置。
【請求項５】
前記スキャン手段によりスキャンされる原稿の枚数が入力される枚数入力手段と、
前記枚数入力手段により入力された原稿の枚数と、前記スキャン手段によりスキャンされた原稿の枚数とが一致するか否かを判定する枚数判定手段とを有し、
前記送信制御手段は、前記送信先判定手段の判定結果及び前記枚数判定手段による判定結果に基づき前記画像データの送信を制御する請求項１乃至４の何れ一項に記載のデータ通信装置。
【請求項６】
送信先情報を含む複数枚の原稿をスキャンして画像データとするスキャン手順と、
前記画像データから前記送信先情報を抽出する送信先抽出手順と、
前記送信先抽出手順により、前記複数枚の原稿のうち基準となる基準原稿の画像データから抽出された基準送信先情報と、前記基準原稿以外の原稿の画像データから抽出された送信先情報とが一致するか否かを判定する送信先判定手順と、
前記送信先判定手順による判定結果に基づき前記画像データの送信を制御する送信制御手順とを有するデータ通信方法。
【請求項７】
前記スキャン手順においてスキャンされる原稿の枚数が入力される枚数入力手順と、
前記枚数入力手順により入力された原稿の枚数と、前記スキャン手順によりスキャンされた原稿の枚数とが一致するか否かを判定する枚数判定手順とを有し、
前記送信制御手順は、前記送信先判定手順の判定結果及び前記枚数判定手順による判定結果に基づき前記画像データの送信を制御する請求項６記載のデータ通信方法。
【請求項８】
演算処理装置と記憶装置とを有するデータ通信装置において実行されるデータ通信プログラムであって、
前記演算処理装置に、
送信先情報を含む複数枚の原稿をスキャンして画像データとするスキャンステップと、
前記画像データから前記送信先情報を抽出する送信先抽出ステップと、
前記送信先抽出ステップにより、前記複数枚の原稿のうち基準となる基準原稿の画像データから抽出された基準送信先情報と、前記基準原稿以外の原稿の画像データから抽出された送信先情報とが一致するか否かを判定する送信先判定ステップと、
前記送信先判定ステップによる判定結果に基づき前記画像データの送信を制御する送信制御ステップとを実行させるデータ通信プログラム。
【請求項９】
前記スキャンステップにおいてスキャンされる原稿の枚数が入力される枚数入力ステップと、
前記枚数入力ステップにより入力された原稿の枚数と、前記スキャンステップによりスキャンされた原稿の枚数とが一致するか否かを判定する枚数判定ステップとを有し、
前記送信制御ステップは、前記送信先判定ステップの判定結果及び前記枚数判定ステップによる判定結果に基づき前記画像データの送信を制御する請求項８記載のデータ通信プログラム。
【発明の詳細な説明】
【技術分野】
【０００１】
本発明は、画像データの通信を行うデータ通信装置、データ通信方法、データ通信プログラムに関する。
【背景技術】
【０００２】
ＦＡＸ機能により画像データの送信を行うデータ通信装置では、ＦＡＸの誤送信を防止するために業務手順に規定を設けたり、複数の担当者による送信先情報の確認を行う等、人的作業による様々な対策が採られている。しかし、このような対応では作業者の負荷も大きく、画像データを送信するまでの作業が繁雑である。
【０００３】
そこでＦＡＸの誤送信を防止する技術として例えば特許文献１がある。特許文献１には、ファクシミリ送信時における送信先の指定を自動で行う機能を有するファクシミリ装置が記載されている。
【特許文献１】特開２００７−６０２８４号公報
【発明の開示】
【発明が解決しようとする課題】
【０００４】
しかしながら特許文献１記載の発明では、例えば複数枚の原稿の中に誤った原稿が混入していた場合や原稿の一部が欠落していた場合にこれを識別できず、結果的に誤った原稿の画像データを送信してしまう。
【０００５】
本発明は、上記の事情を鑑みてこれを解決すべく成されたものであり、高精度に画像データの誤送信を防止することが可能なデータ通信装置、データ通信方法、データ通信プログラムを提供することを目的としている。
【課題を解決するための手段】
【０００６】
本発明は、上記目的を達成するために、以下の如き構成を採用した。
【０００７】
本発明のデータ通信装置は、送信先情報を含む複数枚の原稿をスキャンして画像データとするスキャン手段と、前記画像データから前記送信先情報を抽出する送信先抽出手段と、前記送信先抽出手段により、前記複数枚の原稿のうち基準となる基準原稿の画像データから抽出された基準送信先情報と、前記基準原稿以外の原稿の画像データから抽出された送信先情報とが一致するか否かを判定する送信先判定手段と、前記送信先判定手段による判定結果に基づき前記画像データの送信を制御する送信制御手段とを有する構成とした。
【０００８】
係る構成によれば、高精度に画像データの誤送信を防止することができる。
【０００９】
また本発明のデータ通信装置は、前記スキャン手段を制御するスキャン制御手段を有し、前記スキャン制御手段は、前記送信先判定手段により、前記基準原稿の画像データから抽出された基準送信先情報と、前記基準原稿以外の原稿の画像データから抽出された送信先情報とが一致しないと判定されたとき、前記スキャン手段によるスキャンを停止させる構成としても良い。
【００１０】
また本発明のデータ通信装置は、送信先情報が格納された送信先情報格納手段と、前記送信先情報格納手段を前記基準送信先情報により検索する送信先検索手段を有する構成としても良い。
【００１１】
また本発明のデータ通信装置は、前記画像データにおいて前記送信先情報が抽出される領域を設定する領域設定手段を有する構成としても良い。
【００１２】
また本発明のデータ通信装置は、前記スキャン手段によりスキャンされる原稿の枚数が入力される枚数入力手段と、前記枚数入力手段により入力された原稿の枚数と、前記スキャン手段によりスキャンされた原稿の枚数とが一致するか否かを判定する枚数判定手段とを有し、前記送信制御手段は、前記送信先判定手段の判定結果及び前記枚数判定手段による判定結果に基づき前記画像データの送信を制御する構成としても良い。
【００１３】
本発明のデータ通信方法は、送信先情報を含む複数枚の原稿をスキャンして画像データとするスキャン手順と、前記画像データから前記送信先情報を抽出する送信先抽出手順と、前記送信先抽出手順により、前記複数枚の原稿のうち基準となる基準原稿の画像データから抽出された基準送信先情報と、前記基準原稿以外の原稿の画像データから抽出された送信先情報とが一致するか否かを判定する送信先判定手順と、前記送信先判定手順による判定結果に基づき前記画像データの送信を制御する送信制御手順とを有する方法とした。
【００１４】
係る方法によれば、高精度に画像データの誤送信を防止することができる。
【００１５】
また本発明のデータ通信方法は、前記スキャン手順においてスキャンされる原稿の枚数が入力される枚数入力手順と、前記枚数入力手順により入力された原稿の枚数と、前記スキャン手順によりスキャンされた原稿の枚数とが一致するか否かを判定する枚数判定手順とを有し、前記送信制御手順は、前記送信先判定手順の判定結果及び前記枚数判定手順による判定結果に基づき前記画像データの送信を制御する方法としても良い。
【００１６】
本発明のデータ通信プログラムは、演算処理装置と記憶装置とを有するデータ通信装置において実行されるデータ通信プログラムであって、前記演算処理装置に、送信先情報を含む複数枚の原稿をスキャンして画像データとするスキャンステップと、前記画像データから前記送信先情報を抽出する送信先抽出ステップと、前記送信先抽出ステップにより、前記複数枚の原稿のうち基準となる基準原稿の画像データから抽出された基準送信先情報と、前記基準原稿以外の原稿の画像データから抽出された送信先情報とが一致するか否かを判定する送信先判定ステップと、前記送信先判定ステップによる判定結果に基づき前記画像データの送信を制御する送信制御ステップとを実行させるプログラムとした。
【００１７】
係るプログラムによれば、高精度に画像データの誤送信を防止することができる。
【００１８】
また本発明のデータ通信プログラムは、前記スキャンステップにおいてスキャンされる原稿の枚数が入力される枚数入力ステップと、前記枚数入力ステップにより入力された原稿の枚数と、前記スキャンステップによりスキャンされた原稿の枚数とが一致するか否かを判定する枚数判定ステップとを有し、前記送信制御ステップは、前記送信先判定ステップの判定結果及び前記枚数判定ステップによる判定結果に基づき前記画像データの送信を制御するプログラムとしても良い。
【発明の効果】
【００１９】
本発明によれば、高精度に画像データの誤送信を防止することが可能なデータ通信装置、データ通信方法、データ通信プログラムを提供することができる。
【発明を実施するための最良の形態】
【００２０】
本発明のデータ通信装置では、送信先情報が含まれる複数枚の原稿をＦＡＸ送信する際に、基準となる基準原稿に含まれる基準送信先情報と、基準原稿以外の原稿の画像データに含まれる送信先情報とを比較する。そして基準原稿以外の原稿に含まれる送信先情報が全て基準送信先情報と一致した場合には画像データを送信する。また、基準原稿以外の原稿に含まれる送信先情報に、基準送信先情報と一致しない送信先情報が存在した場合には画像データの送信を中止する。
【００２１】
以下に図面を参照して本発明のデータ通信装置について説明する。図１は、本発明のデータ通信装置１００のハードウェア構成の一例を示す図である。
【００２２】
データ通信装置１００は、それぞれバスＢで相互に接続されているスキャン装置１１、プロッタ装置１２、ドライブ装置１３、補助記憶装置１４、メモリ装置１５、演算処理装置１６、インターフェース装置１７及び操作パネル１８で構成される。
【００２３】
スキャン装置１１はスキャナエンジンとエンジン制御部等で構成され、紙原稿等を読み取って画像データとするために用いられる。プロッタ装置１２はプロッタエンジンとエンジン制御部等で構成され、画像データを印刷用紙等の記録媒体に出力するために用いられる。インターフェース装置１７は、モデム、ＬＡＮカード等で構成されており、ネットワークに接続する為に用いられる。操作パネル１８は、データ通信装置１００の操作を行うために用いられるものであり、表示機能も兼ね備えるタッチパネル等により構成される。
【００２４】
本発明のデータ通信プログラムは、データ通信装置１００を制御する各種プログラムの少なくとも一部である。データ通信プログラムは例えば記録媒体１９の配布やネットワークからのダウンロード等によって提供される。データ通信プログラムを記録した記録媒体１９は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００２５】
また、データ通信プログラムを記録した記録媒体１９がドライブ装置１３にセットされると、データ通信プログラムは記録媒体１９からドライブ装置１３を介して補助記憶装置１４にインストールされる。ネットワークからダウンロードされたデータ通信プログラムは、インターフェース装置１７を介して補助記憶装置１４にインストールされる。
【００２６】
データ通信装置１００は、インストールされたデータ通信プログラムを格納すると共に、必要なファイル、データ等を格納する。メモリ装置１５は、コンピュータの起動時に補助記憶装置１４からデータ通信プログラムを読み出して格納する。そして、演算処理装置１６はメモリ装置１５に格納されたデータ通信プログラムに従って、後述するような各種処理を実現している。
（第一の実施形態）
以下に図面を参照して本発明の第一の実施形態について説明する。本実施形態では、ＦＡＸ機能の他に、コピー機能やスキャン機能等を有する複合機等によりデータ通信装置が実現される場合について説明する。図２は、第一の実施形態のデータ通信装置１００の機能構成図である。
【００２７】
データ通信装置１００は、送信先抽出部１１０、領域設定部１２０、送信先検索部１３０、送信先判定部１４０、表示制御部１５０、送信制御部１６０、スキャン制御部１７０、ログ取得部１８０を有する。また本実施形態のデータ通信装置１００では、補助記憶装置１４に、送信先情報格納部２１０、ログ情報格納部２２０が設けられている。
【００２８】
本実施形態のデータ通信装置１００では、画像データがＦＡＸ送信される際に、送信先抽出部１１０により基準となる基準原稿に含まれる基準送信先情報を抽出する。そして送信判定部１４０により、基準送信先情報と基準原稿以外の各原稿に含まれる送信先情報とが一致すると判定されたとき、送信制御部１６０により送信先情報の示す送信先へ画像データが送信される。
【００２９】
以下にデータ通信装置１００の有する各部について説明する。
【００３０】
送信先抽出部１１０は、画像データから送信先情報を抽出する。本実施形態では、送信対象となる原稿に予め画像データの送信先情報を示すバーコードが印刷されている。尚本実施形態の送信先情報とは、例えばＦＡＸ番号である。送信先抽出部１１０は、原稿がスキャン装置１１により画像データとされた後に、画像データからバーコードを抽出して送信先情報とする。
【００３１】
送信先抽出部１１０は、画像データからバーコードの位置を認識する。本実施形態では、例えば画像データにおいて特定のパターンを有する画像をバーコードと認識する。認識されたバーコードは、アルゴリズムに基づいて数値化されてＦＡＸ番号とされる。尚バーコードと認識されるパターン及びバーコードを数値化するためのアルゴリズムは、補助記憶装置１４内に予め格納されており、送信先抽出部１１０は補助記憶装置１４を参照して特定のパターンを認識しバーコードを数値化するものとした。
【００３２】
領域設定部１２０は、バーコードが抽出される画像データの領域を設定する。領域設定部１２０による設定の詳細は後述する。
【００３３】
送信先検索部１３０は、抽出された送信先情報により送信先情報格納部２１０内を検索する。送信先検索部１３０は、送信先情報格納部２１０内で、送信先抽出部１１０において認識されたバーコードを数値化したＦＡＸ番号と一致するＦＡＸ番号を検索する。尚本実施形態の送信先情報格納部２１０には、ＦＡＸ番号と、ＦＡＸ番号に対応する付随情報とが関連付けられたテーブル（例えばアドレス帳など）が格納されていても良い。ここで言う付随情報とは、具体的には送信先の名称、回線種別に関する情報、海外送信か否かを示す情報などである。付随情報は、後述する表示制御部１５０により、所定のタイミングで操作パネル１８に表示される。
【００３４】
送信先判定部１４０は、基準原稿に含まれる基準送信先情報と、基準原稿以外の各原稿に含まれる送信先情報とが一致するか否かを判定する。より具体的には送信先判定部１４０は、基準原稿に印刷されたバーコードから得られた階調値と、基準原稿以外の各原稿に印刷されたバーコードから得られた階調値とがそれぞれ一致しているか否かを判定する。
【００３５】
表示制御部１５０は、操作パネル１８における表示の制御を行う。
【００３６】
送信制御部１６０は、送信先判定部１４０による判定の結果に基づき画像データの送信を制御する。より具体的には送信制御部１６０は、送信先判定部１４０により、基準原稿に含まれる基準送信先情報と、基準原稿以外の全ての原稿に含まれる送信先情報とが一致すると判定されたとき、画像データを送信する。また送信制御部１６０は、基準原稿に含まれる基準送信先情報と、基準原稿以外の全ての原稿に含まれる送信先情報とが一致しないと判定されたとき、画像データの送信を中止する。
【００３７】
スキャン制御部１７０は、スキャン装置１１の動作の開始や停止等の制御を行う。ログ情報取得部１８０は、データ通信装置１００の処理の履歴（ログ情報）を取得してログ情報格納部２２０に格納する。
【００３８】
送信先情報格納部２１０は、画像データの送信先情報が予め格納されている。また送信先情報格納部２１０には、送信先情報と対応付けられた送信先の名称（氏名）、連絡先等が格納されていても良い。ログ情報格納部２２０には、データ通信装置１００のログ情報が格納されている。本実施形態のログ情報とは、例えばデータ通信装置１００を利用したユーザ名、送信先情報、送信された画像データ、送信日時等である。
【００３９】
次に図３を参照して、本実施形態のデータ通信装置１００の動作を説明する。図３は、第一の実施形態のデータ通信装置１００の動作を説明する第一のフローチャートである。
【００４０】
図３では、送信先抽出部１１０によるバーコードの抽出と送信先情報の検索について説明する。
【００４１】
データ通信装置１００は、ステップＳ３０１においてＦＡＸ送信指示を受けるとステップＳ３０２に進み、スキャン装置１１により１枚目の原稿を読み取り画像データとする。ここで１枚目の原稿の画像データを以下の説明では画像データ１と呼ぶ。送信先抽出部１１０は、画像データ１のバーコードを認識し、送信先情報として抽出する。尚本実施形態では、複数枚の原稿のうち１枚目の原稿を基準原稿とし、基準原稿に含まれる送信先情報を基準送信先情報とした。よって本実施形態では、画像データ１から抽出されたバーコードが基準送信先情報となる。
【００４２】
またステップＳ３０２において、画像データ１にバーコードが存在せずバーコードが抽出されない場合には、表示制御部１５０は、正しい送信先情報を含まない原稿が混入したことを示すメッセージを操作パネル１８へ表示させる。
【００４３】
ステップＳ３０２に続いてステップＳ３０３に進み、送信先検索部１３０は、送信先情報格納部２１０内に、画像データ１から抽出されたバーコードに対応するＦＡＸ番号が存在するか否かを検索する。ステップＳ３０３において送信先情報格納部２１０に該当するＦＡＸ番号が存在した場合、ステップＳ３０４へ進む。ステップＳ３０４において表示制御部１５０は、画像データ１から抽出されたバーコードと対応したＦＡＸ番号を操作パネル１８に送信先確認画面を表示させる。また表示制御部１５０は、送信先情報格納部２１０から、ＦＡＸ番号と関連する付随情報を取得して、操作パネル１８へ表示させる。そしてデータ通信装置１００は、データ通信装置１００は画像データの送信処理へ移行する。
【００４４】
ステップＳ３０３において該当するＦＡＸ番号が存在しない場合、ステップＳ３０５に進み、データ通信装置１００は該当するＦＡＸ番号が存在しない場合でも画像データを送信する設定となっているか否かを判断する。ここで該当するＦＡＸ番号が存在しないときはエラーとする設定となっていた場合、ステップＳ３０７へ進み、表示制御部１５０は操作パネル１８に送信先不一致としてエラーメッセージを表示させる。ステップＳ３０６に続いてステップＳ３０７へ進み、送信制御部１６０は、画像データの送信処理を行わずにＦＡＸ送信ジョブを破棄する。
【００４５】
ステップＳ３０５において、該当するＦＡＸ番号が存在しないときもＦＡＸ送信を行う設定となっていた場合、ステップＳ３０８へ進み、表示制御部１５０は、送信先不一致であることを示すメッセージを操作パネル１８へ表示させる。そしてデータ通信装置１００は画像データの送信処理へ移行する。尚送信制御部１６０は、ステップＳ３０８においてＦＡＸ送信中止指示がなされると、画像データの送信処理を行わずにＦＡＸ送信ジョブを破棄する。
【００４６】
尚、図３の説明では画像データ１全面の中から認識されたバーコードを抽出するものとして説明したが、本実施形態のデータ通信装置１００では領域設定部１２０により設定された領域において認識されたバーコードを抽出することもできる。以下に領域設定部１２０による領域設定について説明する。図４は、バーコードが抽出される領域の設定について説明する図である。
【００４７】
図４（Ａ）は、操作パネル１８に表示されたバーコード認識領域の設定画面１８Ａの一例を示す。バーコード認識領域とは、画像データにおいてバーコードの認識を行う領域として設定される領域である。本実施形態の送信先抽出部１１０は、バーコード認識領域に設定された領域において認識されたバーコードのみを抽出するように設定することができる。設定画面１８Ａでは、バーコード認識領域の設定を行う設定ボタン４１〜４６が表示されている。本実施形態の領域設定部１２０は、設定ボタン４１〜４６の何れかにより設定された領域を、バーコード認識領域としてデータ通信装置１００へ設定する。
【００４８】
例えばバーコード認識領域が設定ボタン４１により設定された場合、送信先抽出部１１０は画像データ全面において認識したバーコードを抽出する。またバーコード認識領域が設定ボタン４２により設定された場合、送信先抽出部１１０は、後述する指定された領域において認識されたバーコードを抽出する。また送信先抽出部１１０は、バーコード認識領域が設定ボタン４３〜４６により設定されていた場合、それぞれの設定にしたがった領域で認識されたバーコードを抽出する。
【００４９】
図４（Ｂ）は、設定ボタン４３〜４６により設定された領域を説明する図である。本実施形態では、例えば設定ボタン４３によりバーコード認識領域が「左上」と設定されていた場合、領域設定部１２０は図４（Ｂ）に示す画像データの領域４３Ｂをバーコード認識領域に設定する。また領域設定部１２０は、設定ボタン４４により「右上」と設定された場合には領域４４Ｂを、設定ボタン４５により「左下」と設定された場合には領域４５Ｂを、設定ボタン４６により「右下」と設定された場合には領域４６Ｂをバーコード認識領域に設定する。送信先抽出部１１０は、設定されたバーコード認識領域において認識されたバーコードを抽出する。
【００５０】
次に設定画面１８Ａにおいて、バーコード認識領域が設定ボタン４２により設定された場合について説明する。本実施形態では、設定ボタン４２によりバーコード認識領域が設定された場合、バーコード認識領域を任意に指定することができる。図５は、バーコード認識領域の領域指定を説明する図である。図５（Ａ）は、操作パネル１８に表示されたバーコード認識領域の領域指定画面１８Ｂの例を示す図である。
【００５１】
設定画面１８Ａにおいて設定ボタン４２が設定されると、表示制御部１５０は、操作パネル１８に領域指定画面１８Ｂを表示させる。本実施形態では、領域指定画面１８Ｂにより、任意のバーコード認識領域を指定することができる。
【００５２】
図５（Ｂ）は、領域指定画面１８Ｂにより指定された領域４２Ｂの例を示す。領域指定画面１８Ｂでは、設定欄５１及び設定欄５２により、領域４２Ｂの点Ａの座標が指定される。また領域指定画面１８Ｂでは、設定欄５３により領域４２Ｂの幅Ｗが指定され、設定欄５４により領域４２Ｂの高さＨが指定される。
【００５３】
このように本実施形態では、設定されたバーコード認識領域において認識されたバーコードを抽出することができる。よって、例えば原稿に複数のバーコードが印刷されている場合にも、送信先情報を示すバーコードを抽出することができる。
【００５４】
次に図６を参照して送信先判定部１４０の処理について説明する。図６は、第一の実施形態のデータ通信装置１００の動作を説明する第二のフローチャートである。
【００５５】
データ通信装置１００は、ステップＳ６０１において、スキャン装置１１により複数枚の原稿のうち２枚目の原稿を画像データとする。以下の説明において、２枚目の原稿の画像データを画像データ２と呼ぶ。送信先抽出部１１０は、画像データ２からバーコードを抽出する。尚本実施形態では、１枚目の原稿を基準原稿としているため、２枚目以降の原稿は全て基準原稿以外の原稿となる。
【００５６】
ステップＳ６０１に続いてステップＳ６０２へ進み、送信先判定部１４０は、画像データ１から抽出されたバーコードと画像データ２から抽出されたバーコードとを比較し、２つのバーコードが一致しているか否かを判定する。送信先判定部１４０は、ステップＳ６０１とステップＳ６０２の処理を原稿の枚数分繰り返す。例えば原稿が全部で５枚であった場合には、基準原稿である１枚目の原稿に含まれるバーコードと、２枚目の原稿、３枚目の原稿、４枚目の原稿、５枚目の原稿のそれぞれに含まれるバーコードとを順次比較していく。
【００５７】
ステップＳ６０２において、画像データ１から抽出したバーコードと、２枚目以降の全ての原稿の画像データから抽出されたバーコードとが一致した場合、ステップＳ６０３へ進み、送信制御部１６０により画像データの送信が実行される。
【００５８】
ステップＳ６０２において、画像データ１から抽出したバーコードと、２枚目以降の全ての原稿の画像データから抽出されたバーコードとが一致しない場合、ステップＳ６０５へ進む。ステップＳ６０５において表示制御部１５０は、送信先の異なる誤った原稿が混入されていることを示すメッセージを操作パネル１８へ表示させる。ステップＳ６０５に続いてステップＳ６０６へ進み、送信制御部１６０は画像データの送信を中止し、ＦＡＸ送信ジョブを破棄する。
【００５９】
尚本実施形態では、ステップＳ６０２において画像データ１から抽出されたバーコードと、他の画像データから抽出したバーコードとが一致しないと判定された時点で、スキャン制御部１７０によりスキャン装置１１による原稿のスキャンを停止させても良い。例えば送信先判定部１４０により、３枚目の原稿の画像データから抽出されたバーコードが、画像データ１から抽出されたバーコードと一致しないと判定された場合、スキャン制御部１７０はスキャン装置１１による４枚目以降の原稿のスキャンを停止させることができる。
【００６０】
したがって本実施形態によれば、送信先の異なる誤った原稿が混入していると判定された時点でＦＡＸ送信処理を中断させることができる。
【００６１】
このように本実施形態によれば、原稿に印刷されたバーコードを送信先情報として抽出し、この送信先に画像データを送信するため、画像データを誤った送信先へ送信することを防止できる。また本実施形態によれば、原稿が複数枚である場合に、送信先の異なる誤った原稿の混入を検出できるため、予期しない原稿を送信することを防止できる。よって本実施形態によれば、高精度に画像データの誤送信を防止することができる。
【００６２】
尚本実施形態では、送信先検索部１３０による送信先情報格納部２１０内の検索を行った後に送信先判定部１４０による判定を実行する例を説明したが、これに限定されない。データ通信装置１００では、送信先検索部１３０による処理を行わずに送信先判定部１４０による処理を行っても良い。
【００６３】
また本実施形態では、基準原稿を１枚目の原稿とする例を説明したが、これに限定されない。例えば５枚ある原稿のうち２枚目の原稿を基準原稿とする場合、１枚目の原稿と２枚目の原稿とを先に読み取り、各原稿からバーコードを抽出する。２枚目の原稿から抽出されたバーコードが基準送信先情報となるから、始めに２枚目の原稿に含まれるバーコードと、１枚目の原稿に含まれるバーコードとを比較する。そして次に３枚目以降の原稿を読み取り、２枚目の原稿に含まれるバーコードと３枚目以降の各原稿に含まれるバーコードとがそれぞれ一致しているか否かを判定しても良い。
【００６４】
また例えば５枚ある原稿のうち５枚目の原稿（最後の原稿）を基準原稿とする場合、始めに５枚の原稿（全ての原稿）を読み取り、各原稿に含まれるバーコードを抽出してメモリ装置１５に一時的に保持する。そして５枚目の原稿に含まれるバーコードと、１枚目から４枚目までの各原稿に含まれるバーコードとがそれぞれ一致しているか否かを判定しても良い。
【００６５】
また本実施形態では、ログ取得部１８０によりＦＡＸ送信処理に係るログ情報を取得する。取得されたログ情報は補助記憶装置１４のログ情報格納部２２０に格納される。よって本実施形態では、仮にＦＡＸの誤送信が発生した場合に、誤って送信された画像データ、送信先、送信日時等を追跡することができる。
【００６６】
また本実施形態では、送信先情報格納部２１０及びログ情報格納部２２０が、データ通信装置１００の有する補助記憶装置１４内に設けられものとしたが、この構成に限定されない。送信先情報格納部２１０及びログ情報格納部２２０は、例えばデータ通信装置１００と適切な方法で接続された外部装置内に設けられていても良い。
【００６７】
また本実施形態では、バーコードを送信先情報として抽出するものとしたが、これに限定されない。例えばＱＲ（Quick Response）コードが送信先情報として抽出されても良い。また原稿にＦＡＸ番号が記載されている場合には、ＦＡＸ番号が送信先情報として抽出されても良い。
（第二の実施形態）
以下に図面を参照して本発明の第二の実施形態について説明する。本発明の第二の実施形態は、原稿の枚数の判定を行う機能が追加された点が第一の実施形態と異なる。よって第二の実施形態の説明では、第一の実施形態との相違点についてのみ説明し、第一の実施形態と同様の機能構成を有するものには第一の実施形態の説明で用いた符号と同様の符号を付与し、その説明を省略する。
【００６８】
図７は、第二の実施形態のデータ通信装置１００Ａの機能構成図である。
【００６９】
データ通信装置１００Ａは、第一の実施形態のデータ通信装置１００の有する各部に加え、枚数判定部１９０を有する。
【００７０】
枚数判定部１９０は、スキャン装置１１によりスキャンされた原稿枚数が、操作パネル１８により入力された原稿枚数の入力値と一致するか否かを判定する。
【００７１】
また本実施形態の送信制御部１６０Ａは、送信先判定部１４０及び枚数判定部１９０による判定の結果に基づき画像データの送信を制御する。より具体的には送信制御部１６０は、枚数判定部１９０により、後述する原稿枚数入力画面から入力された原稿枚数とスキャン装置１１により読み取られた原稿枚数が一致すると判定され、且つ送信先判定部１４０により、基準送信先情報と、基準原稿以外の全ての原稿に含まれる送信先情報とが一致すると判定されたとき、画像データを送信する。
【００７２】
以下に図８を参照して本実施形態のデータ通信装置１００Ａの動作について説明する。図８は、第二の実施形態のデータ通信装置１００Ａの動作を説明するフローチャートである。
【００７３】
データ通信装置１００Ａは、ＦＡＸ送信指示を受けると、ステップＳ８０１において表示制御部１５０により操作パネル１８に原稿枚数の入力画面を表示させる。図９は、操作パネル１８に表示された原稿枚数入力画面の一例を示す図である。本実施形態では、図９に示す原稿枚数入力画面１８Ｃにより、これから読み取られる原稿の枚数が入力される。よって原稿枚数入力画面１８Ｃは、原稿枚数の入力手段に該当する。
【００７４】
尚本実施形態のデータ通信装置１００Ａでは、枚数判定部１９０による原稿枚数の判定を実行させる設定となっている場合に、図９に示す原稿枚数入力画面を表示させる。ここで本実施形態のデータ通信装置１００Ａにおける設定について説明する。
【００７５】
図１０は、操作パネル１８に表示された設定画面の一例を示す図である。本実施形態のデータ通信装置１００Ａでは、操作パネル１８に表示された設定画面１８Ｄにより、ＦＡＸ送信に係る各種の設定を行うことができる。例えば設定画面１８Ｄでは、設定欄９１により枚数判定部１９０による枚数判定を行う設定とすることができる。また設定画面１８Ｄでは、設定欄９２により、送信先判定部１４０による送信先情報の判定を行う設定とすることができる。設定欄９２により送信先情報の判定を行う設定とすれば、ＦＡＸ送信の際に図６で説明した処理を実行させることができる。よって例えばＡＤＦ（Auto Document Feeder）等に複数枚の原稿をセットし、図６で説明した処理を実行させることにより、誤った原稿が混入した場合にこれを検出することができる。また設定欄９３により送信先情報の検索を行う設定とすれば、ＦＡＸ送信の際に第一の実施形態の図３で説明した処理を実行させることができる。
【００７６】
図８に戻って、ステップＳ８０１に続いてステップＳ８０２へ進み、原稿枚数が入力されると、スキャン装置１１による原稿の読み取りが開始される。ステップＳ８０２では、ＦＡＸ送信対象となる全ての原稿がスキャンされて読み取られる。より具体的には、例えばデータ通信装置１００ＡがＡＤＦを有する複写機により実現される場合には、ＡＤＦにセットされた原稿が全てスキャンされて読み取られる。
【００７７】
スキャン装置１１が全ての原稿を読み取るとステップＳ８０３へ進み、枚数判定部１９０は、読み取られた原稿枚数と原稿枚数入力画面１８Ｃにより入力された原稿枚数とを比較し、両方の枚数が一致しているか否かを判定する。
【００７８】
ステップＳ８０３において枚数判定部１９０により両方の枚数が一致すると判定されるとステップＳ８０４へ進み、送信先抽出部１１０は、基準原稿の画像データからバーコードを抽出する。ステップＳ８０４において基準原稿からのバーコードの認識に失敗した場合、ステップＳ８０５へ進み、表示制御部１５０は、正しい送信先情報を含まない原稿が混入したことを示すメッセージを操作パネル１８へ表示させる。ステップＳ８０５に続いて後述するステップＳ８１１へ進み、ＦＡＸ送信ジョブが破棄される。
【００７９】
ステップＳ８０４において基準原稿からのバーコードの抽出に成功した場合、ステップＳ８０６へ進む。ステップＳ８０６からステップＳ８０９までの処理は、図６のステップＳ６０１からステップＳ６０４までの処理と同様である。
【００８０】
ステップＳ８０３において、枚数判定部１９０により、読み取られた原稿枚数と原稿枚数入力画面１８Ｃにより入力された原稿枚数とが一致しないと判定されるとステップＳ８１０へ進む。ステップＳ８１０において表示制御部１５０は、操作パネル１８に原稿の読み取り枚数エラーを示すメッセージを表示させる。ステップＳ８１０に続いてステップＳ８１１へ進み、送信制御部１６０Ａは、画像データの送信を中止してＦＡＸ送信ジョブを破棄する。
【００８１】
このような本実施形態によれば、予め入力された原稿の枚数と、スキャン装置１１により読み取られた原稿枚数とが一致するか否かを判定することにより、送信対象となる原稿の欠落を検出することができる。例えば原稿枚数入力画面１８Ｃにより入力された原稿枚数が５枚であり、スキャン装置１１により読み取られた原稿枚数が４枚であった場合、原稿が１枚欠落していることがわかる。また例えば原稿枚数入力画面１８Ｃにより入力された原稿枚数が５枚であり、スキャン装置１１により読み取られた原稿枚数が６枚であった場合、送信対象ではない誤った原稿が混入していることがわかる。
【００８２】
また本実施形態では、枚数判定部１９０による原稿枚数の判定と合わせて、送信先判定部１４０による送信先情報の判定を行うことで、送信対象となる原稿の欠落及び誤った原稿の混入を検知することができる。よって本実施形態によれば、高精度に画像データの誤送信を防止することができる。
【００８３】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【図面の簡単な説明】
【００８４】
【図１】本発明のデータ通信装置１００のハードウェア構成の一例を示す図である。
【図２】第一の実施形態のデータ通信装置１００の機能構成図である。
【図３】第一の実施形態のデータ通信装置１００の動作を説明する第一のフローチャートである。
【図４】バーコードが抽出される領域の設定について説明する図である。
【図５】バーコード認識領域の領域指定を説明する図である。
【図６】第一の実施形態のデータ通信装置１００の動作を説明する第二のフローチャートである。
【図７】第二の実施形態のデータ通信装置１００Ａの機能構成図である。
【図８】第二の実施形態のデータ通信装置１００Ａの動作を説明するフローチャートである。
【図９】操作パネル１８に表示された原稿枚数入力画面の一例を示す図である。
【図１０】操作パネル１８に表示された設定画面の一例を示す図である。
【符号の説明】
【００８５】
１１  スキャン装置
１４  補助記憶装置
１００、１００Ａ  データ通信装置
１１０  送信先抽出部
１２０  領域設定部
１３０  送信先検索部
１４０  送信先判定部
１５０  表示制御部
１６０  送信制御部
１７０  スキャン制御部
１８０  ログ取得部
２１０  送信先情報格納部
２２０  ログ情報格納部
【図１】
2009049483.tif 000003
【図２】
2009049483.tif 000004
【図３】
2009049483.tif 000005
【図４】
2009049483.tif 000006
【図５】
2009049483.tif 000007
【図６】
2009049483.tif 000008
【図７】
2009049483.tif 000009
【図８】
2009049483.tif 000010
【図９】
2009049483.tif 000011
【図１０】
2009049483.tif 000012